(57)【要約】  【課題】  ルーパーへの糸通しを容易にし、装置全体の小型化、組込みスペースの狭小化を図れる二重環縫いミシンにおけるルーパー引出し装置を提供する。  【解決手段】  ルーパー６を固定したルーパー台８は、ルーパー棒７に対し縫製作業位置と、この縫製作業位置より前方へ傾けてルーパー６への糸通しを可能にする前傾倒位置とにわたってルーパー棒７の軸線回りに前後揺動可能に、かつ縫製作業位置に固定・解除可能に取付けている。ルーパー台８の軸方向先端面８ａから突出するルーパー棒７の最先端部には固定環１５を嵌挿固定し、この固定環１５とルーパー台８間にルーパー台８の縫製作業位置への位置決め固定と解除を可能にする位置決め固定・解除手段１６を設ける。【選択図】      図６
2006255140.tif 000002
【特許請求の範囲】
【請求項１】
前面に開口を有するミシンベッド内に、軸線方向に往復運動可能に且つ軸線回りに回動可能なルーパー棒と、このルーパー棒の先端側に嵌挿されたルーパー台と、このルーパー台に固定された一個もしくは２個以上のルーパーとを備えている二重環縫いミシンにおいて、
前記ルーパー台は、前記ルーパー棒に対し縫製作業位置と、この縫製作業位置より前方へ傾ける前傾倒位置とにわたってルーパー棒の軸線回りに前後揺動可能に、かつ前記縫製作業位置に固定・解除手段を介して固定・解除可能に取付けており、前記ルーパー台の軸方向先端面から突出する前記ルーパー棒の最先端部に、固定環を嵌挿固定し、この固定環と前記ルーパー台間に、前記ルーパー台の縫製作業位置への位置決め固定と解除を可能にする位置決め固定・解除手段を設けていることを特徴とする、二重環縫いミシンにおけるルーパー引出し装置。
【請求項２】
前記位置決め固定・解除手段が、前記ルーパー台の軸方向先端面と対向する前記固定環の一端面に、前記ルーパーの縫製作業位置を規定する位置決めピンを突設するとともに、前記ルーパー台の軸方向先端面に、前記位置決めピンが抜差し可能に嵌合する位置決め孔を設けてある、請求項1記載の二重環縫いミシンにおけるルーパー引出し装置。
【請求項３】
前記固定環の位置決めピンを突出する端面側に、縫製作業位置にある前記ルーパー台の軸方向先端面が当接する第1当接面を設け、前記固定環の他の箇所に、縫製作業位置にある前記ルーパー台の後端部が当接する第２当接面を設けている、請求項２記載の二重環縫いミシンにおけるルーパー引出し装置。
【発明の詳細な説明】
【技術分野】
【０００１】
本発明は、ルーパーへの糸通し作業、とくに複数本ルーパーへの糸通し作業が容易に行えるようにした二重環縫いミシンにおけるルーパー引出し装置に関する。
【背景技術】
【０００２】
この種のルーパー引出し装置として、例えば、図１０〜図１３に示すように、下向きＬ字形のルーパー３０を少なくとも１つ備えたルーパー台３１と、このルーパー台３１を揺動自在に支持するルーパー棒（支軸）３２と、ミシン本体３３に回動自在に設けるとともにルーパー棒３２を直交状態で連結する取付軸３４と、ミシン本体３３に固設しているとともにピン挿入孔３５を穿設した鉤状部３６を一体に有し、かつ取付軸３４を回動自在に嵌挿しているブラケット３７と、取付軸３４に固着し、ブラケット３７のピン挿入孔３５内に弾圧的に係入する摺動杆３８を軸孔３９ａに収容した中空軸３９と、ミシン本体外表部に設けられ前記ピン挿入孔３５内に係入している摺動杆３８と対向する押棒４０を一体に設けた押釦４１と、前記ルーパー台３１に球面継手４２を設け、ミシン運転時に往復回動をなす駆動軸４３に球面継手４４を設け、これら球面継手４２，４４間に駆動軸４３の往復回動をルーパー台３１に伝達させるリンク４５ａとアーム４５ｂからなる連結体４５を設け、その連結体４５のリンク４５ａとアーム４５ｂ間に屈曲可能な枢支部４６を設けたルーパー揺動機構４７とを具備したものがある（特許文献１参照）。
【０００３】
いま、図１２、図１３に示すように押棒４０の押釦４１を矢印Ｘ方向へ押すと、摺動杆３８が押棒４０に押されて、ブラケット３７のピン挿入孔３５から外れる。この状態で、図１０、図１１に示すように、ルーパー揺動機構４７の連結体４５の枢支部４６を矢印Ｚで示すように下方に屈曲させれば矢印Ｙ方向に取付軸３４は回動してルーパー棒３２ごとルーパー台３１を、矢印Ｐで示す方向に前倒移行し、これと同時にルーパー棒３２を中心として矢印Ｑで示す方向に横倒移行し、ミシン運転時におけるルーパー３０の運転軌跡から完全に逸脱した位置にルーパー３０を移動させることができる。この状態でルーパー３０は、図１１に示すように針板４８から離脱した針板４８の前方の空間位置に引出すことができる。この引出し状態下によれば、ルーパー３０への糸通しが容易に行えるというものである。
【０００４】
【特許文献１】実公昭６０−２４３０３号公報
【発明の開示】
【発明が解決しようとする課題】
【０００５】
しかしながら、上記構成のルーパー引出し装置では、ルーパー３０を針板４８の前方の空間位置に引出すには、ルーパー揺動機構４７の連結体４５の枢支部４６を矢印Ｚで示すように下方に屈曲させて取付軸３４を矢印Ｙ方向に回動させることによりルーパー台３１をルーパー棒３２ごと矢印Ｐで示す方向に前倒移行させると同時に、ルーパー台３１をルーパー棒３２を中心として矢印Ｑで示す方向に横倒移行させるようにしてある。そのため、ルーパー揺動機構４７として、大きく振る部材、すなわちブラケット３７や連結体４５のリンク４５ａ及びアーム４５ｂを必要とするため、装置全体の構造が複雑になるばかりか、装置全体が大型化することによりその組込みスペースを広く要するという問題があった。
【０００６】
本発明は、このような問題を解決するためになされたものであって、その目的とするところは、ルーパー棒に対するルーパー台の取付け方に工夫を凝らすとともに固定環を併装することによりルーパーへの糸通しを容易にし、装置全体の小型化、組込みスペースの狭小化を図れる二重環縫いミシンにおけるルーパー引出し装置を提供することにある。
【課題を解決するための手段】
【０００７】
本発明の二重環縫いミシンにおけるルーパー引出し装置は、その発明の内容を理解しやすくするために図２〜図９に付した符号を参照にして説明すると、前面に開口５を有するミシンベッド１内に、軸線方向に往復運動可能に且つ軸線回りに回動可能なルーパー棒７と、このルーパー棒の先端側に嵌挿されたルーパー台８と、このルーパー台に固定された一個もしくは２個以上のルーパー６とを備えている二重環縫いミシンにおいて、前記ルーパー台８は、前記ルーパー棒７に対し縫製作業位置と、この縫製作業位置より前方へ傾ける前傾倒位置とにわたってルーパー棒７の軸線回りに前後揺動可能に、かつ前記縫製作業位置に固定・解除手段１０を介して固定・解除可能に取付けており、前記ルーパー台８の軸方向先端面８ａから突出する前記ルーパー棒７の最先端部に、固定環１５を嵌挿固定し、この固定環１５とルーパー台８間に、ルーパー台８の縫製作業位置への位置決め固定と解除を可能にする位置決め固定・解除手段１６を設けていることに特徴を有するものである。
【０００８】
ひとつの好適な態様として、本発明によるルーパー引出し装置は、前記位置決め固定・解除手段１６としてルーパー台８の軸方向先端面８ａと対向する固定環１５の一端面１５ａに、ルーパー６の縫製作業位置を規定する位置決めピン１７を突設するとともに、ルーパー台８の軸方向先端面８ａに、位置決めピン１７が抜差し可能に嵌合する位置決め孔１８を設けたものとすることができる。
【０００９】
この場合において、固定環１５の位置決めピン１７を突出する端面側に、縫製作業位置にあるルーパー台８の軸方向先端面８ａが当接する第1当接面１９を設け、固定環１５の他の箇所に、縫製作業位置にあるルーパー台８の後端部が当接する第２当接面２０を設けることができる。
【発明の作用・効果】
【００１０】
上記構成の二重環縫いミシンにおけるルーパー引出し装置において、ルーパーへの糸通しが容易に行えるようにするためには、ルーパー台をルーパー棒の軸線回りに前方へ傾けるのであるが、その際、先ず、ルーパー棒に対し縫製作業位置に固定されているルーパー台の固定状態を固定・解除手段によって解除し、次いで位置決め固定・解除手段によりルーパー台の縫製作業位置への位置決め固定を解除して、ルーパー台をルーパー棒の軸線回りに前方へ揺動させることによりルーパー台を前方へ傾けることができ、この前傾倒状態により開口を介してルーパーに糸を容易に通すことができる。糸通し後は、ルーパー台をルーパー棒の軸線回りに後方へ揺動させると位置決め固定・解除手段により縫製作業位置に位置決め固定され、しかる後固定・解除手段によってルーパー台をルーパー棒に対し元の縫製作業位置に固定することができる。
【００１１】
本発明の二重環縫いミシンにおけるルーパー引出し装置によれば、ルーパー台を前傾倒位置と縫製作業位置とにわたってルーパー棒の軸線回りに前後揺動させるだけの簡単な操作で足り、しかも、かかるルーパー台の前後揺動の動作は狭隘なスペース内でも可能であり、装置全体の小型化、ミシンベッド内への組込みスペースの狭小化を図ることができる。
【００１２】
位置決め固定・解除手段として、ルーパー台の軸方向先端面と対向する固定環の一端面に、ルーパーの縫製作業位置を規定する位置決めピンを突設するとともに、ルーパー台の軸方向先端面に、位置決めピンが抜差し可能に嵌合する位置決め孔を設けるという構成を採用した場合は、ルーパー台を前方へ揺動させて傾ける前に、ルーパー台を固定環から離す軸方向に移動させて位置決めピンを位置決め孔から抜き出すという簡単な操作でルーパー台の位置決め固定状態を解除できる。また、ルーパー台を後方へ揺動させて元の縫製作業位置に戻した後に、ルーパー台を固定環に接近させる軸方向に移動させて位置決めピンを位置決め孔に差し込むという簡単な操作でルーパー台を元の縫製作業位置に位置決め固定できる。また、この位置決め固定・解除手段は位置決めピンと位置決め孔により簡単に構成することができる。
【００１３】
固定環の位置決めピンを突出する端面側に、縫製作業位置にあるルーパー台の軸方向先端面が当接する第１当接面を設けておくと、糸通し後にルーパー台を第１当接面に当接するまで移動させるだけでルーパー台の軸方向位置決めが容易に行える。また、固定環の他の箇所に、縫製作業位置にあるルーパー台の後端部が当接する第２当接面を設けておくと、糸通し後にルーパー台を第２当接面に当接するまで後方へ揺動させるだけでルーパー台の復帰揺動方向位置決めが容易に行える。
【発明を実施するための最良の形態】
【００１４】
本発明の好適な実施形態を図面に基づき説明する。図１は本発明の一実施例のルーパー引出し装置を組込み状態で示す二重環縫いミシンの一部斜視図、図２は図１におけるルーパー引出し装置の拡大斜視図、図３は図１におけるルーパー引出し装置を前傾倒状態で示す拡大斜視図、図４は図１におけるルーパー引出し装置の平面図、図５は図１におけるルーパー引出し装置の側面図、図６は図１におけるルーパー引出し装置の正面図、図７は図３におけるルーパー引出し装置の側面図、図８は図３におけるルーパー引出し装置の正面図、図９は図１におけるルーパー引出し装置の分解斜視図である。
【００１５】
図１、図２において、１は二重環縫いミシンのシリンダー型ミシンベッド、２はミシンヘッド１から側方へ突出したシリンダー部、３は複数本（図示例では４本）の縫針、４は針板、５はシリンダー部２の前面に形成した開口である。針板４の下面側におけるシリンダー部２の内部には、縫針３の上下運動と同期して針糸に係合し得るように楕円運動することで縫い目を形成し、二重環縫いを可能にする複数本のルーパー６が配備される。ルーパー６は、図外の周知のルーパー駆動機構により軸線方向に往復運動可能に且つ軸線回りに回動可能なルーパー棒７の先端側に嵌挿されたルーパー台８の上面に固定されている。図２〜図９に示す例では、ルーパー６が前後に二つずつルーパー台８の上面に止めねじ９で固定されている。
【００１６】
ルーパー台８は、ルーパー棒７に対し縫製作業位置（図２、図５、図６）と、この縫製作業位置より前方へ傾ける前傾倒位置（図３、図７、図８）とにわたってルーパー棒７の軸線回りに前後揺動可能に、かつ縫製作業位置に固定・解除手段１０を介して固定・解除可能に取付けている。固定・解除手段１０としては、例えば、ルーパー台８のルーパー棒挿通孔１１を有する割型ボス部１２に直交状に貫通形成したねじ孔１３と、このねじ孔１３に螺合するボルト１４により構成され（図３、図４、図９参照）、ボルト１４をねじ孔１３にねじ込んで締め付けることでルーパー台８がルーパー棒７上に固定され、ボルト１４を緩めることでルーパー棒７への固定状態が解除される。
【００１７】
ルーパー台８の軸方向先端面８ａから突出するルーパー棒７の最先端部には、固定環（カラー）１５を嵌挿固定する。この固定環１５とルーパー台８間にはルーパー台８の縫製作業位置への位置決め固定と解除を可能にする位置決め固定・解除手段１６を設けている。この位置決め固定・解除手段１６は、図６、図９に示すように、ルーパー台８の軸方向先端面８ａと対向する固定環１５の一端面１５ａに、ルーパー台８の縫製作業位置を規定する位置決めピン１７を突設するとともに、ルーパー台８の軸方向先端面８ａに、位置決めピン１７が抜差し可能に嵌合する位置決め孔１８を設けてなる。
【００１８】
図６に示すように、固定環１５の一端面１５ａ側には縫製作業位置にあるルーパー台８の軸方向先端面８ａが当接する第１当接面１９を設け、図５に示すように、固定環１５の上側には縫製作業位置にあるルーパー台８の後端部８ｂが当接する第２当接面２０を起立状に一体に設けている。
【００１９】
次に、ルーパー６に糸を通すときに該ルーパー６を引出す操作について図４〜図８を参照にして説明する。
先ず、図４〜図６に示すように、縫針３が下死点付近で固定・解除手段１０のボルト１４を緩めてルーパー台８のルーパー棒７に対する固定状態を解除する。次いで、図７、図８に示すように縫針３を針板４の下面付近まで上昇させる。この状態下で、ルーパー台８を手でつかんで固定環１５から離れる矢印Ａ方向に移動させることにより位置決め固定・解除手段１６の位置決めピン１７から位置決め孔１８を抜き出してルーパー台８の位置決め固定状態を解除する。次いで、図７に示すようにルーパー台８をルーパー棒７の軸線回りに前方（矢印Ｂ方向）へ揺動させることにより、図３、図７に示すようにルーパー台８を前傾倒させてルーパー６を針板４の下面前方へ引出すことができる。これにより、糸通し時には針板４を外すことなく、開口５からルーパー６に糸を容易に通すことができる。とくに、ルーパー６が前後に並べてある場合も、その後ろ側のルーパー６への糸通しも容易に行える。
【００２０】
ルーパー６への糸通し作業が終了すると、ルーパー台８をルーパー棒７の軸線回りに後方（図７中、矢印Ｃ方向）へ揺動させて、図５のようにルーパー台８の後端部８ｂを固定環１５の第２当接面２０に当接させる。次いでルーパー台８を固定環１５に近づける方向（図８中、矢印Ｄ方向）に移動させて、図６のように位置決めピン１７に位置決め孔１８を差し込むとともに、ルーパー台８の軸方向先端面８ａを固定環１５の第１当接面１９に当接させる。これによりルーパー台８は元の縫製作業位置に復帰させて位置決め固定することができ、この復帰後は固定・解除手段１０のボルト１４を締め付けることでルーパー台８をルーパー棒７に対し固定することができる。
【００２１】
このように、固定・解除手段１０のボルト１４を緩めてルーパー台８を固定環１５から離れる方向に移動させて位置決めピン１７から位置決め孔１８を抜き出した後、ルーパー台８をルーパー棒７の軸線回りに前方へ揺動させることによりルーパー６を前方へ容易に引出すことができ、糸通し作業が容易に行える。糸通し終了後はルーパー台８を固定環１５の第２当接面２０に当接するまでルーパー棒７の軸線回りに後方へ揺動させてから、固定環１５に近づける方向に移動させて位置決めピン１７に位置決め孔１８を差し込み終えると同時にルーパー台８の軸方向先端面８ａを固定環１５の第１当接面１９に当接させるという簡単な操作で、ルーパー台６を元の縫製作業位置に容易に復帰させることができる。
【００２２】
ルーパー棒７上にてルーパー台８を固定環１５に対し当接・離間するよう軸方向に移動させるとともに、縫製作業位置と前傾倒位置とにわたって前後揺動させることにより広いスペースを要することなく、狭隘なスペース内でルーパー台８を縫製作業位置と前傾倒位置への姿勢切換えを可能にする。また、ルーパー台８の位置決め固定・解除手段１６として固定環１５の一端面１５ａに設けた位置決めピン１７と、ルーパー台８の軸方向先端面８ａに設けた位置決め孔１８により構成することにより位置決め固定・解除手段１６のコンパクト化、小型化を図れるため、狭隘なスペース内への組込みに寄与できる。
【００２３】
ルーパー台８が縫製作業位置にあるときに該ルーパー台８の軸方向先端面８ａが当接する第１当接面１９を固定環１５の位置決めピン１７を突出する端面側に、またルーパー台８の後端部８ｂが当接する第２当接面２０を固定環１５に設けておくことにより、糸通し後にルーパー台８を第１当接面１９に当接するまで移動させるだけでルーパー台８の軸方向位置決めが容易に行え、またルーパー台８を第２当接面２０に当接するまで後方へ揺動させるだけでルーパー台８の復帰揺動方向位置決めも容易に行うことができる。
【図面の簡単な説明】
【００２４】
【図１】本発明の一実施例のルーパー引出し装置を組込み状態で示す二重環縫いミシンの一部斜視図である。
【図２】図１におけるルーパー引出し装置の拡大斜視図である。
【図３】図１におけるルーパー引出し装置を前傾倒状態で示す拡大斜視図である。
【図４】図１におけるルーパー引出し装置の平面図である。
【図５】図１におけるルーパー引出し装置の側面図である。
【図６】図１におけるルーパー引出し装置の正面図である。
【図７】図３におけるルーパー引出し装置の側面図である。
【図８】図３におけるルーパー引出し装置の正面図である。
【図９】図１におけるルーパー引出し装置の分解斜視図である。
【図１０】従来例のルーパー引出し装置をルーパー引出し前の状態を示す斜視図である。
【図１１】従来例のルーパー引出し装置をルーパー引出し後の状態を示す斜視図である。
【図１２】従来例のルーパー引出し装置のブラケット部分を斜視図である。
【図１３】従来例のルーパー引出し装置のブラケット部分を一部破断して示す平面図である。
【符号の説明】
【００２５】
１  ミシンベッド
５  開口
６  ルーパー
７  ルーパー棒
８  ルーパー台
８ａ  ルーパー台の軸方向先端面
１０  固定・解除手段
１５  固定環
１６  位置決め固定・解除手段
１７  位置決めピン
１８  位置決め孔
１９  第１当接面
２０  第２当接面
【図１】
2006255140.tif 000003
【図２】
2006255140.tif 000004
【図３】
2006255140.tif 000005
【図４】
2006255140.tif 000006
【図５】
2006255140.tif 000007
【図６】
2006255140.tif 000008
【図７】
2006255140.tif 000009
【図８】
2006255140.tif 000010
【図９】
2006255140.tif 000011
【図１０】
2006255140.tif 000012
【図１１】
2006255140.tif 000013
【図１２】
2006255140.tif 000014
【図１３】
2006255140.tif 000015